(57)【要約】      （修正有）【課題】表裏印刷を行うことなく、かつ絵柄印刷層を確実に保護する。【解決手段】情報記録装置用の回路基板３０は、第１基材３０ａと第２基材３０ｂとを備えている。第１基材３０ａの第２基材３０ｂ側の面に、絵柄印刷層４１と背景層４２と複数の導電部３８がこの順で設けられている。第２基材３０ｂの第１基材３０ａ側の面に導電部３８と接続可能な導電パターン１８が設けられている。【選択図】図５Ａ
2019040248.tif 000002
【特許請求の範囲】
【請求項１】
情報記録装置用の回路基板において、
透明な第１基材と、
前記第１基材上に積層された第２基材とを備え、
前記第１基材の前記第２基材側に絵柄印刷層と、前記第２基材側に露出する複数の導電部が設けられ、
前記第２基材の前記第１基材側に前記複数の導電部と接続可能な導電回路が設けられている、回路基板。
【請求項２】
前記絵柄印刷層上に背景層が設けられ、前記導電部はこの背景層上に設けられている、請求項１記載の回路基板。
【請求項３】
前記第１基板上に前記絵柄印刷層と前記導電層が設けられ、前記絵柄印刷層上に背景層が設けられている、請求項１記載の回路基板。
【請求項４】
情報記録装置用の回路装置において、
透明な第１基材と、前記第１基材上に積層された第２基材とを備え、前記第１基材の前記第２基材側に絵柄印刷層と、前記第２基材側に露出する複数の導電部が設けられ、前記第２基材の前記第１基材側に前記複数の導電部と接続可能な導電回路が設けられている、回路基板と、
前記導電回路に接続された通信モジュールとを備えた回路基板。
【請求項５】
前記絵柄印刷層上に背景層が設けられ、前記導電部はこの背景層上に設けられている、請求項４記載の回路基板。
【請求項６】
前記第１基板上に前記絵柄印刷層と前記導電層が設けられ、前記絵柄印刷層上に背景層が設けられている、請求項４記載の回路基板。
【請求項７】
情報記録装置において、
透明な第１基材と、前記第１基材上に積層された第２基材とを備え、前記第１基材の前記第２基材側に絵柄印刷層と、前記第２基材側に露出する複数の導電部が設けられ、前記第２基材の前記第１基材側に前記複数の導電部と接続可能な導電回路が設けられている、回路基板と、
前記導電回路に接続された通信モジュールとを備え、
前記絵柄印刷層は、前記複数の導電部を前記導電回路に押圧する選択ボタンを含み、
前記通信モジュールはＩＣチップと、このＩＣチップに電源電圧を供給するボタン電池とを有し、
前記ＩＣチップは前記導電回路のうち押圧された選択ボタンを特定する情報と、押圧された時刻を時系列で記録する記録部と、
前記記録部を制御する制御部と、
外部のホスト装置との間で近接通信を行う無線通信部とを有する、情報記録装置。
【請求項８】
前記絵柄印刷層上に背景層が設けられ、前記導電部はこの背景層上に設けられている、請求項７記載の情報記録装置。
【請求項９】
前記第１基板上に前記絵柄印刷層と前記導電層が設けられ、前記絵柄印刷層上に背景層が設けられている、請求項７記載の情報記録装置。
【請求項１０】
前記選択ボタンは視覚識別手段を含む押圧部を有する、請求項７記載の情報記録装置。
【請求項１１】
前記第１基材の前記第２基材側の面に、前記選択ボタンが押圧された際に押圧確認を行う押圧確認手段と、前記通信モジュールと前記押圧確認手段とを接続する接続部とを設けた、請求項７記載の情報記録装置。
【発明の詳細な説明】
【技術分野】
【０００１】
本発明は、回路基板および回路装置、およびボタンの押圧情報を通信モジュールを介してホスト装置に無線送信可能なシート状の情報記録装置に関する。
【背景技術】
【０００２】
紙などの折り畳み可能なシート材に通信機能を内蔵させて、ある限られた期間だけ外部との無線通信を行い、その期間が終了すると、廃棄することを前提した装置が提案されている（特許文献１参照）。
【０００３】
この特許文献１に開示された使い捨て式自己充足型測定装置は、センサを含むデータ入力・試料採取部分とデータ取得部分とを、印字可能で折り畳み可能なシート材で密封したものである。この装置では、シート材として、紙などの安価で廃棄が容易な材料を用いることを想定している。
【先行技術文献】
【特許文献】
【０００４】
【特許文献１】特表２００８−５１６２４８号公報
【発明の概要】
【発明が解決しようとする課題】
【０００５】
ところで、一般にシート材には、文字等を含む必要な絵柄情報がその表面に印刷され、その裏面に導電部が印刷により設けられる。
【０００６】
このように、シート材の表裏面に印刷を施す場合、表面の絵柄印刷層と裏面の導電部とを精度良く位置決めする必要があり、シート材に対する印刷工程が複雑かつ繁雑である。
【０００７】
また、シート材の表面に印刷された絵柄印刷層は、使用を繰り返した場合に使用者の指等により劣化することがあり、絵柄印刷層を保護することも求められている。
【０００８】
このような点を考慮してなされたものであり、シート材の表裏面に対する印刷を不要とし、絵柄印刷層を効果的に保護することができる回路基板、回路装置および情報記録装置を提供することを目的とする。
【課題を解決するための手段】
【０００９】
本発明は、情報記録装置用の回路基板において、透明な第１基材と、前記第１基材上に積層された第２基材とを備え、前記第１基材の前記第２基材側に絵柄印刷層と、前記第２基材側に露出する複数の導電部が設けられ、前記第２基材の前記第１基材側に前記複数の導電部と接続可能な導電回路が設けられている、回路基板である。
【００１０】
本発明は、前記絵柄印刷層上に背景層が設けられ、前記導電部はこの背景層上に設けられている、回路基板である。
【００１１】
本発明は、前記第１基板上に前記絵柄印刷層と前記導電層が設けられ、前記絵柄印刷層上に背景層が設けられている、回路基板である。
【００１２】
本発明は、情報記録装置用の回路装置において、透明な第１基材と、前記第１基材上に積層された第２基材とを備え、前記第１基材の前記第２基材側に絵柄印刷層と、前記第２基材側に露出する複数の導電部が設けられ、前記第２基材の前記第１基材側に前記複数の導電部と接続可能な導電回路が設けられている、回路基板と、前記導電回路に接続された通信モジュールとを備えた回路基板である。
【００１３】
本発明は、情報記録装置において、透明な第１基材と、前記第１基材上に積層された第２基材とを備え、前記第１基材の前記第２基材側に絵柄印刷層と、前記第２基材側に露出する複数の導電部が設けられ、前記第２基材の前記第１基材側に前記複数の導電部と接続可能な導電回路が設けられている、回路基板と、前記導電回路に接続された通信モジュールとを備え、前記絵柄印刷層は、前記複数の導電部を前記導電回路に押圧する選択ボタンを含み、前記通信モジュールはＩＣチップと、このＩＣチップに電源電圧を供給するボタン電池とを有し、前記ＩＣチップは前記導電回路のうち押圧された選択ボタンを特定する情報と、押圧された時刻を時系列で記録する記録部と、前記記録部を制御する制御部と、
外部のホスト装置との間で近接通信を行う無線通信部とを有する、情報記録装置である。
【００１４】
本発明は、前記絵柄印刷層上に背景層が設けられ、前記導電部はこの背景層上に設けられている、情報記録装置である。
【００１５】
本発明は、前記第１基板上に前記絵柄印刷層と前記導電層が設けられ、前記絵柄印刷層上に背景層が設けられている、情報記録装置である。
【００１６】
前記選択ボタンは視覚識別手段を含む押圧部を有する、情報記録装置である。
【００１７】
前記第１基材の前記第２基材側の面に、前記選択ボタンが押圧された際に押圧確認を行う押圧確認手段と、前記通信モジュールと前記押圧確認手段とを接続する接続部とを設けた、情報記録装置である。
【発明の効果】
【００１８】
本発明によれば、第１基材の第２基材側の面に絵柄層と導電部の印刷を施すため、第１基材の表裏面に対する印刷を施す必要はない。また、第１基材が透明であるので、第１基材の第２基材側の面に設けられた絵柄印刷層を第１基材の外方から視認することができ、かつ絵柄印刷層を第１基材により効果的に保護することができる。
【図面の簡単な説明】
【００１９】
【図１】図１は本発明の一実施形態に係る情報記録装置を示す図。
【図２】図２は情報記録装置を展開した図。
【図３】図３は通信モジュールの概略構成を示すブロック図。
【図４】図４はＡＳＩＣ１２の内部構成の一例を示すブロック図。
【図５Ａ】図５Ａは回路基板を示す断面図。
【図５Ｂ】図５Ｂは回路基板の変形例を示す断面図。
【図６】図６は押圧確認手段を示す図。
【図７】図７は視覚識別手段を示す図。
【図８Ａ】図８Ａは情報記録装置の変形例を示す図。
【図８Ｂ】図８Ｂは情報記録装置の変形例を示す図。
【図９】図９は情報記録装置の他の変形例を示す図。
【図１０】図１０は情報記録装置の他の変形例を示す図。
【図１１】図１１は情報記録装置の他の変形例を示す図。
【図１２】図１２は情報記録装置の他の変形例を示す図。
【図１３】図１３は情報記録装置の他の変形例を示す図。
【発明を実施するための形態】
【００２０】
＜本発明の実施の形態＞
以下、本発明の実施の形態について、詳細に説明する。図１は本発明の一実施形態に係る情報記録装置の外観図である。図１の情報記録装置は、情報入力面２を含む情報記録カード１からなり、この情報入力面２は、使用者が自らの指でボタンを選択押下する面である。
【００２１】
図１の情報記録カード１は、アンケートカード等からなり、使用者のボタン操作により逐次記録する機能と、記録した情報を外部のホストコンピュータに無線で伝送する機能とを備えている。また、この情報記録カード１は、所定期間が経過すると、廃棄することを前提としており、部材コストをできるだけ抑えている。
【００２２】
図１の情報記録カード１の情報入力面２には、例えばスタートボタン３と取り消しボタン４が設けられている。また情報入力面２には、例えば基本項目に関連する項目１〜６用の選択ボタン５，５，…が設けられている。このうち、項目１用の選択ボタン５は、例えば、３種類の詳細項目Ａ，Ｂ，Ｃのうち１つを選択押下するための３つのボタンに分かれている。項目２〜６用の選択ボタン５，５，もそれぞれ３種類の詳細項目Ａ，Ｂ，Ｃのうち１つを選択押下するための３つのボタンからなる。
【００２３】
なお、情報入力面２、選択ボタン５，５…の種類、数および配置は任意であり、アンケートの内容毎に異なったものになりうる。以下では、情報入力面２に設けられているすべてのボタン、すなわち、スタートボタン３、取り消しボタン４、および選択ボタン５を総称して選択ボタン３，４，５と呼ぶ。
【００２４】
使用者は、情報記録カード１を初めて使用するときに、スタートボタン３を押圧する。その後、使用者は、アンケート項目に沿って該当する選択ボタンを押下する。使用者が操作を誤って、異なる選択ボタンを押下してしまった場合は、その直後に取り消しボタン４を押下することで、その直前の選択ボタンの操作を取り消すことができる。
【００２５】
使用者が押圧したすべてのボタンの情報は、情報記録カード１内に内蔵された通信モジュール１０に自動的に記憶される仕組みになっている。
【００２６】
図３は通信モジュール１０の概略構成を示すブロック図である。図３の通信モジュール１０は、基板１１の上に実装されたＡＳＩＣ（Application Specific Integrated Circuit）１２と、水晶振動子１３と、ボタン電池１４と、スピーカ１５と、基板１１の長辺に沿って形成される複数の端子１６と、基板１１の外縁部に沿って形成されるアンテナパターン１７とを有する。
【００２７】
図３は通信モジュール１０の内部構成を機能化したブロック図であり、実際の各回路部品やパターンの配置やサイズ、形状、個数は任意に変更可能である。
【００２８】
図４はＡＳＩＣ１２の内部構成の一例を示すブロック図である。図４のＡＳＩＣ１２は、使用者が押圧したスタートボタン３、取り消しボタン４、選択ボタン５の各選択ボタン３，４，５の情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００２９】
記憶部２１は、制御部２２の制御に基づいて、使用者が押圧したボタンを特定する情報と、そのボタンが押圧された時刻情報とを組にして記憶する。
【００３０】
制御部２２の機能が低い場合は、記憶部２１にいったん記憶した情報を消去したり、上書きしたりすることができない可能性が高い。そこで、取り消しボタン４が押されると、制御部２２はその直前に記憶部２１に記憶した情報を消去するのではなく、その情報が誤りである旨の情報を追加で記憶する。これにより、情報記録カードの情報をホストコンピュータで読み出したときには、記憶された各情報ごとに、その情報が正しいかどうかを簡易かつ正確に判別できる。
【００３１】
一方、制御部２２の機能が高い場合は、記憶部２１にいったん記憶した情報を消去したり、上書きすることもできる可能性が高い。そこで、取り消しボタン４が押されると、制御部２２はその直前に記憶部２１に記憶した情報を直接消去する。よって、記憶部２１内に誤った情報を記憶し続けなくて済み、記憶部２１内の記憶容量を有効活用できるとともに、ホストコンピュータ側で、読み出した情報が正しいかどうかを判断しなくて済み、読み出し処理を高速化できる。
【００３２】
このような取り消しボタン４を設けることで、その直前に押圧した選択ボタンの情報を取り消すことができ、使用者は、何度でも、ボタン操作をやり直すことができ、間違いが許されないという精神的な負担から解放される。
【００３３】
無線通信部２３は、ホストコンピュータとの間で、いわゆるＮＦＣ（Near Field Communication、近接無線通信）やBluetooth（登録商標）等の非接触通信を行って、情報の送受を行う。無線通信部２３が無線通信に用いる方式や周波数帯域は特に制限されるものではなく、例えばＮＦＣの場合は13.56MHzの帯域でISO14443に準拠した無線方式で無線通信を行い、Bluetoothの場合は規格で定めた周波数（例えば２．４ＧＨｚ）で無線通信を行う。上述した記憶部２１に記憶された各種情報は、無線通信部２３を介してホストコンピュータに送信される。これにより、所定の期間にわたって、使用者のアンケート結果がどのように変化したかを時系列的にきめ細かくホストコンピュータ側で一元的に管理できる。
【００３４】
無線通信の方式としてＮＦＣを採用する場合、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３５】
ボタン電池１４を搭載する以上、長期間使用すると、バッテリ切れを起こすが、本実施形態に係る情報記録カード１は、樹脂シート材を採用してある程度の耐久性と防水性は持たせているものの、電池を交換可能な構造は採用していないため、バッテリ切れを起こしたら、情報記録カード１自体を交換することを前提として、構造を簡略化している。
【００３６】
次に図２および図５Ａにより、情報記録カード１を構成する回路基板３０について説明する。上述のように情報記録カード１は情報入力面２を含み、このような情報記録カード１は透明な第１基材３０ａと、この第１基材３０ａに積層された第２基材３０ｂと、これら第１基材３０ａと第２基材３０ｂとを接着する接着層４３とを備えた回路基板３０を備えている。このうち第１基材３０ａはＰＥＴ、ＰＢＴ、ＰＥ、ＰＰ製の透明基材からなり、その厚みは７５〜３５０μｍ、好ましくは１７５μｍとなっている。第２基材３０ｂもＰＥＴ、ＰＢＴ、ＰＥ、ＰＰ製の透明基材からなるが、第２基材３０ｂは必ずしも透明基材である必要はなく、紙製又は白ＰＥＴ等の不透明基材であってもよい。ここでＰＥＴはポリエチレンテレフタレート、ＰＢＴはポリブチレンテレフタレート、ＰＥはポリエチレン、ＰＰはポリプロピレンである。
【００３７】
また第１基材３０ａの第２基材３０ｂ側の面に絵柄印刷層４１と、この絵柄印刷層４１を第１基材３０ａの外側から視認した際、絵柄印刷層４１を明確に表すための背景層（ベタ層）４２がこの順で印刷を施すことにより設けられている。絵柄印刷層４１は第１基材３０ａの全面に施される必要はなく、部分的に施されてもよい。
【００３８】
なお、絵柄印刷層４１上の背景層４２は必ずしも設ける必要はない。また背景層４２上に、各選択ボタン３，４，５に対応する複数の導電部３８が第２基材３０ｂ側へ露出するように設けられている。
【００３９】
さらに第１基材３０ａのうち、選択ボタン３，４，５に対応する導電部３８が設けられた部分には、外方（図５の上方）に向かって突出するエンボス部４５が形成され、このため背景層４２上に設けられた導電部３８はエンボス部４５の内側に配置されている。
【００４０】
なお、上述した各選択ボタン３，４，５は、使用者が第１基材３０ａの外方から押下して、各選択ボタン３，４，５と後述する導電パターン１８とを接触させるものである。この場合、選択ボタン３，４，５は第１基材３０ａの第２基材３０ｂ側の面に設けられた絵柄印刷層４１によって形成される。また絵柄印刷層４１により、選択ボタン３，４，５の他、情報記録カード１の表面に表れる必要な文字、図形を形成することができる。
【００４１】
このように絵柄印刷層４１は選択ボタン３，４，５および必要な文字、図形を含むことになり、このような絵柄印刷層４１は透明な第１基材３０ａの外方へ現れるとともに、第１基材３０ａにより保護される。
【００４２】
このため透明な第１基材３０ａの第２基材３０ｂ側に設けられた絵柄印刷層４１を、第１基材３０ａを介して第１基材の外方から明確に視認することができる。
【００４３】
一方、第２基材３０ｂの第１基材３０ａ側の面に、複数の導電部３８に接触可能な導電パターン１８が設けられている。
【００４４】
なお、図５Ｂに示すように、第１基材３０ａの第２基材３０ｂ側の面に絵柄印刷層４１と、複数の導電部３８を設け、絵柄印刷層４１上に背景層４２を設けるとともに、複数の導電部３８を第２基材３０ｂ側に露出させてもよい。
【００４５】
次に図２により第１基材３０ａと第２基材３０ｂを展開した状態を示す。図２に示すように、第１基材３０ａは上層に配置されるものであり、第１基材３０ａには上述のように各選択ボタン３，４，５に対応する導電部３８が形成されている。第２基材３０ｂは下層に配置されるものであり、第２基材３０ｂには、導電部３８に接触可能な接点３１，３２，３３が形成されている。この他、第２基材３０ｂには、通信モジュール１０の各端子が接続される端子部１９と、これら端子部１９および接点間を導通する導電パターン１８とが形成されている。
【００４６】
第２基材３０ｂでは、各接点および導電パターン１８が形成されて、端子部１９の位置に合わせて第２基材３０ｂに通信モジュール１０が実装された後に、ほぼ全面が接着層４３でコーティングされる。そして、第２基材３０ｂの上に第１基材３０ａを重ねて熱圧着することで、両層が強固に接着されて、図１のような外形になる。図１の情報入力面２は、第１基材３０ａの図２に示した面の反対側の面である。このように、第１基材３０ａおよび第２基材３０ｂにより通信モジュール１０は覆われて外見に現れなくなることから、外部からの衝撃に対する耐性が高くなる。
【００４７】
上述したように、各選択ボタン３，４，５は、第１基材３０ａのうち導電部３８に対応する位置に設けられ、絵柄印刷層４１により形成される。但し、導電部３８のみで選択ボタン３,４,５を形成してもよい。この場合、導電部３８は絵柄印刷層を兼ねる。そして選択ボタン３，４，５を押下していないときは、対応する導電部３８と接点とは物理的に離隔されており、選択ボタン３，４，５を押下している間だけ、接点が導電部３８に接触し、接点に接続された導電パターン１８に電流が流れて、この電流を通信モジュール１０で検知して、どの選択ボタンがいつ押されたかという情報が記憶部２１に記憶される。
【００４８】
ところで図２に示す各接点の一端は接地パターン１８ａを介して接地端子に接続され、各接点の他端は導電パターン１８を介して端子部に接続されている。端子部１９には、接点の総数分の端子が設けられ、これに加えて、端子部１９の両端側には接地端子が設けられている。接地端子から延びる導電パターン（以下、接地パターン）１８ａは、第２基材３０ｂのパターン面の外縁に沿って、他の導電パターンと接点を取り囲むように形成されている。この接地パターン１８ａは、ノイズの低減を図るために、他の導電パターン１８よりも太く形成されている。この場合、導電パターン１８と接地パターン１８ａとにより導電回路１８Ａが構成される。また回路基板３０の端子部１９に通信モジュール１０を設置することにより回路装置が得られる。
【００４９】
このように、すべての接点が、対応する端子と接地パターン１８ａとの間に接続されている。したがって、いずれかの接点の状態が変化すると、その変化した情報が、専用の端子を介して通信モジュール１０に伝達されることになる。通信モジュール１０内の記憶部２１は、接点の状態が変化した接点を特定する情報と、接点の状態が変化した時刻情報とを記憶する。
【００５０】
また上述のように、第２基材３０ｂに、通信モジュール１０が配置されるが、この第２基材３０ｂ上であって、通信モジュール１０上にフレキシブル確認回路１００が介在される（図８参照）。このフレキシブル確認回路１００はいずれかのボタン、例えばスタートボタン３、取り消しボタン４、選択ボタン５のいずれかのボタンが押圧された際に、この押圧確認を行うＬＥＤ発光部１０２等の押圧確認手段を含む。
【００５１】
具体的には、図２および図８に示すように、フレキシブル確認回路１００はビニル系、ポリエステル系の材料からなる絶縁性のフレキシブル基材１０１と、このフレキシブル基材１０１０上に実装されたＬＥＤ発光部１０２と、フレキシブル基材１０１上に設けられ、ＬＥＤ発光部１０２と通信モジュール１０とを接続するとともに、線状に形成された導電部１０３とを有する。
【００５２】
ここで、図６は第２基材３０ｂに配置される通信モジュールと、この通信モジュール１０上に取付けられたフレキシブル確認回路１００とを示す。
【００５３】
そしてフレキシブル確認回路１００のＬＥＤ発光部１０２は、第１基材３０ａに形成された発光部用窓１０５を介して外方へ露出する。そしてＬＥＤ発光部１０２は、選択ボタン３、４、５のうちいずれかのボタンが使用者により押圧された際、通信モジュール１０の制御部２２により発光して発光部用窓１０５から発光状態を外方へ現わすようになっている。
【００５４】
このようにＬＥＤ発光部１０２は、ボタンが押圧された際に押圧確認を行う押圧確認手段として機能するが、このような押圧確認手段として他の押圧確認手段、例えば他の発光部を用いてもよく、発光部以外に押圧確認手段としては振動を発生させる振動子を用いてもよい。
【００５５】
ところでＬＥＤ発光部１０２としては、例えばチップ状のＬＥＤ素子を用いることができ、ＬＥＤ発光部１０２の電源は通信モジュール１０内のボタン電池から供給される。
【００５６】
このような構成からなる情報記録カード１において、使用者はまず情報記録カード１をもって、最初にボタン選択を行う前に、スタートボタン３を押圧する。その後、所定のタイミングで、該当する選択ボタンを押圧する。そして押圧された選択ボタンに対応する情報は、外部のホストコンピュータに送られて管理、保有される。
【００５７】
次に情報記録カード１の製造方法について説明する。まず、図５に示す第１基材３０ａの裏面側に所定の選択ボタン３，４，５および文字情報（例えば、図１の表面の文字情報など）を印刷して絵柄印刷層４１を形成する。次に絵柄印刷層４１上に背景層４２を印刷により設け、この背景層４２上に導電部３８を印刷により設ける。
【００５８】
この間、第２基材３０ｂに接点３１，３２，３３、端子部１９、導電パターン１８および接地パターン１８ａを形成する。これらは、例えば導電性カーボン、銅または銀などを用いてシルク印刷により形成される。この場合、導電パターン１８と接地パターン１８ａとにより導電回路１８Ａが形成される。
【００５９】
次に、第２基材３０ｂ内の導電回路１８Ａを除いたほぼ全面に、異方導電性接着剤を塗布する。この異方導電性接着剤は、一方向（Ｘ方向）のみに導電性を持っており、端子部１９の各端子上や導電パターン上に塗布されても、異なる端子同士や導電パターン同士が短絡するおそれはない。このようにして異方導電性接着剤により、接着層４３が得られる。
【００６０】
なお、端子部１９の上のみに導電性接着テープを貼付して、他の部分には非導電性の接着剤を塗布してもよい。これら接着剤または接着テープの基本材料は、エポキシ系樹脂またはアクリル系樹脂であり、導電材料の粒子を配合したものである。
【００６１】
次に、第２基材３０ｂのパターン面上に、通信モジュール１０を実装する。ここでは、通信モジュール１０の端子と第２基材３０ｂ上の端子部１９とを位置合わせして、上述した異方導電性接着剤または導電性テープを介して両者を熱圧着する。あるいは、通信モジュール１０は、フレキシブル回路コネクタ９０を介して端子部１９に接続される。
【００６２】
次に、第２基材３０ｂが第１基材３０ａの上になるように積層して両基材３０ａ，３０ｂを貼り合わせて熱圧着する。以上の工程を経て、図１に示す情報記録カード１が完成する。
【００６３】
以上のように本実施の形態によれば、第１基材３０ａの第２基材３０ｂ側の面に絵柄印刷層４１と背景層４２を順次印刷により設け、更にこの背景層４２上に導電部３８を印刷により設けることができる。このため、第１基材３０ａの表裏面に印刷を施して表面に絵柄印刷層を設け、第１基材３０ａの裏面に導電部を設ける必要がない。このため位置決めが煩雑な表裏面印刷を行う必要がなく、製造効率を向上させることができる。
【００６４】
また、透明な第１基材３０ａの第２基材３０ｂ側の面に絵柄印刷層４１を設けることにより、透明な第１基材３０ａを介して絵柄印刷層４１を外方から確実に視認することができ、絵柄印刷層４１を第１基材３０ａにより効果的に保護することができる。
【００６５】
＜本発明の変形例＞
次に図７により本発明による情報記録カード１の変形例について説明する。本変形例は選択ボタン５の構成が異なるのみであり、他の構成は図１乃至図６に示す実施の形態と略同一である。
【００６６】
各選択ボタン５は図７に示すように、枠体５０ａと、枠体５０ａ内に設けられた視覚識別手段５１を含む押圧部５０を有していてもよい。
【００６７】
この場合、視覚識別手段５１としては、温度又は水分によって色が変化するインキを塗布することにより得られる。
【００６８】
このように、選択ボタン５は枠体５０ａと、枠体５０ａ内に設けられた視覚識別手段５１とを含む押圧部５０を有する。
【００６９】
このようなインキ層を形成するインキとしては温度によって色が変化する示温インキを使用することができる。インキ層は別シートに印刷されたものを粘着剤などで貼り付けて使用することもできるし、第１基材３０ａに直接印刷することもできる。また、ＰＥＴフィルムなどの透明シートに印刷し、第１基材３０ａと重ねて使用することもできる。
【００７０】
インキの印刷方式は、グラビア印刷やスクリーン印刷などが使用できる。
【００７１】
このようなインキ層は例えば、指で触れたときに、体温で色が変化することで視認性を得ることができる。このようなインキ層を押圧部５０に設けることにより、選択ボタン５の押圧時に色が変化し、どこの選択ボタン５を押したかを認識することができる。また、インキは可逆性で指から離してしばらくすると色が元に戻り、再度使用することができる。
【００７２】
変化する温度帯は適時調整することができるが、体温による変色を利用する場合には、２５℃〜３２℃が好ましい。
【００７３】
また、季節によって部屋の温度も変化するため、季節ごとに変化する温度枠を調整することも有効である。
【００７４】
次に図８Ａ乃至図１４により、本発明の他の変形例について説明する。  
まず図８Ａおよび図８Ｂにより情報記録カード１の変形例について述べる。図８Ａおよび図８Ｂに示す変形例において、図１乃至図６に示す実施の形態と同一部分には同一符号を付して詳細な説明は省略する。
【００７５】
図８Ａおよび図８Ｂにおいて、情報記録カード１を構成する回路基板３０は、透明な第１基材３０ａと、この第１基材３０ａに折曲線６０を介して折曲自在に設けられた透明な第２基材３０ｂとを有し、この場合、第１基材３０ａと第２基材３０ｂは同一の透明材料からなる。
【００７６】
図８Ａおよび図８Ｂに示すように、第１基材３０ａの第２基材３０ｂ側の面にエンボス部４５により囲まれた導電部３８が設けられ、第２基材３０ｂの第１基材３０ａ側の面に導電回路１８Ａと接点３３とが印刷により形成されている。また第２基材３０ｂの第１基材３０ａ側の面のうち回路上部の領域３０Ａに対応する位置に通信モジュール１０が設置されている。
【００７７】
図８Ａおよび図８Ｂにおいて、第１基材３０ａの第２基材３０ｂと反対側の面に絵柄６１および選択ボタン５が外方に現れている。
【００７８】
そして第１基材３０ａと第２基材３０ｂを各々の導電回路１８Ａおよび接点３３と、導電部３８とが内側になるよう折畳むことにより情報記録カード１が得られる。
【００７９】
次に図９および図１０により情報記録カード１の他の変形例について述べる。図９および図１０に示す変形例において、図１乃至図６に示す実施の形態と同一部分には同一符号を付して詳細な説明は省略する。
【００８０】
図９および図１０において、情報記録カード１を構成する回路基板３０は、透明な第１基材３０ａと、この第１基材３０ａと別体に設けられた第２基材３０ｂと、第１基材３０ａと第２基材３０ｂとの間に介在された開口７０Ａを含むスペーサ７０とを有する。この場合、第２基材３０ｂは必ずしも透明体からなる必要はない。
【００８１】
図９および図１０に示すように、第１基材３０ａの第２基材３０ｂ側の面に導電部３８が設けられ、第２基材３０ｂの第１基材３０ａ側の面に導電回路１８Ａと接点３３とが印刷により形成されている。また第２基材３０ｂの第１基材３０ａ側の面のうち回路上部の領域３０Ａに対応する位置に通信モジュール１０が設置されている。
【００８２】
図９および図１０において、第１基材３０ａの第２基材３０ｂと反対側の面に絵柄６１および選択ボタン５が外方に現れている。
【００８３】
本変形例において、第１基材３０ａと第２基材３０ｂとの間に、スペーサ７０が介在されているため、第１基材３０ａに導電部３８を囲むエンボス部を設ける必要はなく、選択ボタン５を押下しない状況においては導電部３８と接点３３とが接触することはない。
【００８４】
またスペーサ７０には選択ボタン５を押下した際、選択ボタン５と接点３３とが接触するための貫通孔７１が設けられている。
【００８５】
次に図１１により情報記録カード１の他の変形例について述べる。図１１に示す変形例において、図１乃至図６に示す実施の形態と同一部分には同一符号を付して詳細な説明は省略する。
【００８６】
図１１において、情報記録カード１を構成する回路基板３０は、透明な第１基材３０ａと、この第１基材３０ａ別体に設けられた第２基材３０ｂとを有し、この場合、第２基材３０ｂは必ずしも透明材料からなる必要はない。
【００８７】
図１１に示すように、第１基材３０ａの第２基材３０ｂ側の面にエンボス部４５により囲まれた導電部３８が設けられ、第２基材３０ｂの第１基材３０ａ側の面に導電回路１８Ａと接点３３とが印刷により形成されている。また第２基材３０ｂの第１基材３０ａ側の面のうち、開口３０Ａに対応する位置に通信モジュール１０が設置されている。
【００８８】
また、図１１に示すように、第１基材３０ａのうち、第２基材３０ｂの領域３０Ａに対応する位置にエンボス３０Ｂが形成され、このエンボス３０Ｂによって、第２基材３０ｂに実装された通信モジュール１０の厚みを吸収することができる。
【００８９】
次に図１２および図１３により情報記録カード１の他の変形例について述べる。図１２および図１３に示す変形例において、図１乃至図６に示す実施の形態と同一部分には同一符号を付して詳細な説明は省略する。
【００９０】
図１２および図１３において、情報記録カード１を構成する回路基板３０は、透明な第１基材３０ａと、この第１基材３０ａと別体に設けられた透明な第２基材３０ｂとを有する。この場合、第２基材３０ｂは必ずしも透明材料からなっていなくてもよい。
【００９１】
図１２および図１３に示すように、第１基材３０ａの第２基材３０ｂ側の面にエンボス部４５により囲まれた導電部３８が設けられ、第２基材３０ｂの第１基材３０ａ側の面に導電回路１８Ａと接点３３とが印刷により形成されている。また第２基材３０ｂの第１基材３０ａ側の面のうち開口３０Ｃに対応する位置に通信モジュール１０が設置されている。この通信モジュール１０は、フレキシブル回路コネクタ９０を介して端子部１９に接続されている。
【００９２】
また第２基材３０ｂの第１基材３０ａと反対側の面に開口７４を有するスペーサ７３が設けられ、スペーサ７３上には更に遮蔽板７５が設けられている。
【００９３】
図１２および図１３において、開口７４を有するスペーサ７３により、通信モジュール１０を開口７４内にスムーズに収納することができ、かつ遮蔽板７５により通信モジュール１０を外方から効果的に隠すことができる。
【符号の説明】
【００９４】
１  情報記録カード
２  情報入力面
３  スタートボタン
４  取り消しボタン
５  選択ボタン
１０  通信モジュール
１１  基板
１２  ＡＳＩＣ
１３  水晶振動子
１４  ボタン電池
１５  スピーカ
１６  端子
１７  アンテナパターン
１８  導電パターン
１８ａ  接地パターン
１８Ａ  導電回路
２１  記憶部
２２  制御部
２３  無線通信部
３０  回路基板
３０ａ  第１基材
３０ｂ  第２基材
４１  絵柄印刷層
４２  背景層
４３  接着層
５１  視覚識別手段
１０２  ＬＥＤ発光部
【図１】
2019040248.tif 000003
【図２】
2019040248.tif 000004
【図３】
2019040248.tif 000005
【図４】
2019040248.tif 000006
【図５Ａ】
2019040248.tif 000007
【図５Ｂ】
2019040248.tif 000008
【図６】
2019040248.tif 000009
【図７】
2019040248.tif 000010
【図８Ａ】
2019040248.tif 000011
【図８Ｂ】
2019040248.tif 000012
【図９】
2019040248.tif 000013
【図１０】
2019040248.tif 000014
【図１１】
2019040248.tif 000015
【図１２】
2019040248.tif 000016
【図１３】
2019040248.tif 000017